(57)【特許請求の範囲】
【請求項１】
２本の中空構造の支柱材と当該２本の支柱材を連結するラチス材とから成り、前記支柱材の互いに並列する両側板部間に嵌入した前記ラチス材端部を、当該両側板部とラチス材端部とを貫通する止着具により前記支柱材に固定して成るラチス構造のフレーム組立体であって、前記ラチス材は、前記両側板部間の巾よりも狭いが当該両側板部間の巾の半分よりも広い巾を有する中空部材から成り、互いに逆向きに傾斜する状態で前記支柱材の長さ方向に隣り合う２本のラチス材端部は、ラチス材長さ方向と平行に切欠き形成されたスリットにより二股状に形成され、この二股状の両ラチス材端部が、前記両側板部間の巾方向に互いに嵌合し合う状態に重ね合わせられ、この両ラチス材端部の重なり部が前記両側板部間で共通の前記止着具により固定され、前記ラチス材は、前記支柱材の両側板部間の巾の３／４程度の巾を有し、前記スリットは、ラチス材端部をその巾方向に３等分したときの中央領域に形成され、前記ラチス材は、中空角柱状断面であって、その上下両側板の一方が、前記スリットの巾と同一巾のラチス材全長に及ぶ全域スリットによって分割されて、リップ付きのチャンネル断面となっており、前記スリットは、前記全域スリットが設けられていない側の側板に形成されている、ラチス構造のフレーム組立体において、
前記ラチス材の内、一端部のみが他のラチス材の端部と重ねられて共通の止着具で一方の支柱材に固定されるラチス材は、その他端部と、当該他端部が嵌入される他方の支柱材の一方の側板との間の空間を埋めるスペーサーが、当該他端部を他方の支柱材に固定する止着具に装着され、このスペーサーは、ラチス材の周方向に沿ってＬ形に形成されたものであって、その一端には、前記止着具に外嵌するＵ字形部分を備えると共に、その他端には、ラチス材の前記全域スリットに嵌入する突起部を備えている、ラチス構造のフレーム組立体。
【請求項２】
前記スペーサーは、その一端の前記Ｕ字形部分から前記他端の突起部の先端まで連続する両側板部を備えている、請求項１に記載のラチス構造のフレーム組立体。
【発明の詳細な説明】
【技術分野】
【０００１】
本発明は、ラックの荷台用フレーム構造体の両端を支持する側枠用フレーム構造体として利用出来る、ラチス構造のフレーム組立体に関するものである。
【背景技術】
【０００２】
上記のようにラックの側枠用フレーム構造体として利用されるラチス構造のフレーム組立体は、２本の中空構造の支柱材と当該２本の支柱材を連結するラチス材とから成り、前記支柱材の互いに並列する両側板間に挿入した前記ラチス材端部を、当該両側板とラチス材端部とを貫通する止着具により前記支柱材に固定することにより構成されるものである。而して、従来周知のラチス構造のフレーム組立体は、特許文献を示すまでもなく、各種のものが知られており、例えば図１０に示すように、互いに逆向きに傾斜する状態で支柱材３０の長さ方向に隣り合う２本のラチス材３１，３２の端部３１ａ，３２ａを、支柱材３０の並列する両側板３０ａ，３０ｂ間に、支柱材長さ方向に位置をずらして挿入し、これら各ラチス材端部３１ａ，３２ａをボルトナットやリベットなどの止着具３３，３４により各別に支柱材３０に固定する２点止め構造か又は、図１１に示すように、互いに逆向きに傾斜する状態で支柱材３０の長さ方向に隣り合う２本のラチス材３５，３６の端部３５ａ，３６ａを、支柱材３０の並列する両側板３０ａ，３０ｂ間に互いに重ね合わせた状態で挿入し、この両ラチス材端部３５ａ，３６ａの重なり部を、ボルトナットやリベットなどの１本の止着具３７により支柱材３０に固定する１点止め構造が知られている。図では、ラチス材としてチャンネル材（リップ付きＣ型鋼）を使用しているが、角パイプ材が使用されることもある。チャンネル材をラチス材として使用する２点止め構造の場合、潰れ防止のためにラチス材端部３１ａ，３２ａ内に、止着具３３，３４に外嵌する状態で筒状スペーサーなどの潰れ防止部材３８が併用されることになる。
【発明の概要】
【発明が解決しようとする課題】
【０００３】
上記の図１１に示す１点止め構造は、図１０に示す２点止め構造と比較して、部品（止着具）点数や組立て工数が半減するので、コスト面で非常に有利であるが、半面、１点止め構造では、ラチス材３５，３６の巾が、支柱材３０の両側板３０ａ，３０ｂ間の巾の半分程度に制限されるため、全体として必要な強度を得るためにラチス本数を増やす必要が生じて、結果的にコストダウンを図ることが出来なくなる。
【課題を解決するための手段】
【０００４】
本発明は、上記のような従来の問題点を解消することのできるラチス構造のフレーム組立体を提案するものであって、本発明に係るラチス構造のフレーム組立体は、後述する実施例との関係を理解し易くするために、当該実施例の説明において使用した参照符号を括弧付きで付して示すと、２本の中空構造の支柱材(5a,5b)と当該２本の支柱材(5a,5b)を連結するラチス材(6,7)とから成り、前記支柱材(5a,5b)の互いに並列する両側板部(11a,12a)間に嵌入した前記ラチス材端部(6a,6b,7a)を、当該両側板部(11a,12a)とラチス材端部(6a,6b,7a)とを貫通する止着具(20)により前記支柱材(5a,5b)に固定して成るラチス構造のフレーム組立体であって、前記ラチス材(6,7)は、前記両側板部(11a,12a)間の巾よりも狭いが当該両側板部(11a,12a)間の巾の半分よりも広い巾を有する中空部材から成り、互いに逆向きに傾斜する状態で前記支柱材(5a,5b)の長さ方向に隣り合う２本のラチス材端部(6a〜7a)は、ラチス材長さ方向と平行に切欠き形成されたスリット(18,19)により二股状に形成され、この二股状の両ラチス材端部(6a〜7a)が、前記両側板部(11a,12a)間の巾方向に互いに嵌合し合う状態に重ね合わせられ、この両ラチス材端部(6a〜7a)の重なり部が前記両側板部(11a,12a)間で共通の前記止着具(20)により固定され、前記ラチス材(6,7)は、前記支柱材(5a,5b)の両側板部(11a,12a)間の巾の３／４程度の巾を有し、前記スリット(18,19)は、ラチス材端部(6a〜7a)をその巾方向に３等分したときの中央領域に形成され、前記ラチス材(6,7)は、中空角柱状断面であって、その上下両側板の一方が、前記スリットの巾と同一巾のラチス材全長に及ぶ全域スリット(16)によって分割されて、リップ付きのチャンネル断面となっており、前記スリット(18,19)は、前記全域スリット(16)が設けられていない側の側板(13)に形成されている、ラチス構造のフレーム組立体において、
前記ラチス材(6,7)の内、一端部のみが他のラチス材(6)の端部と重ねられて共通の止着具(20)で一方の支柱材(5a又は5b)に固定されるラチス材(7)は、その他端部(7b)と、当該他端部(7b)が嵌入される他方の支柱材(5b又は5a)の一方の側板との間の空間を埋めるスペーサー(21)が、当該他端部(7b)を他方の支柱材に固定する止着具(20)に装着され、このスペーサー(21)は、ラチス材(7)の周方向に沿ってＬ形に形成されたものであって、その一端には、前記止着具(20)に外嵌するＵ字形部分(21a)を備えると共に、その他端には、ラチス材(7)の前記全域スリット(16)に嵌入する突起部(22)を備えた構成になっている。
【発明の効果】
【０００５】
上記本発明の構成によれば、２本のラチス材の端部を重ねて支柱材の両側板間に１本の止着具で１点止めする１点止め構造でありながら、支柱材の両側板間の巾よりも広い巾のラチス材を使用することが出来るので、使用するラチス材の断面形状（チャンネル又はパイプ）が同一である場合、支柱材の両側板間の巾の半分程度の巾の狭いラチス材を使用しなければならない場合と比較して、ラチス材そのものの強度の低下を抑制し、ラチス材の使用本数の増加を抑えることが出来る。しかも、支柱材の両側板間の巾の半分以上の巾の一般的な断面形状（チャンネル又はパイプ）のラチス材を使用するために、当該ラチス材の端部の巾（厚さ）を、その巾方向の片側から切欠して狭めることにより、この切欠されたラチス材端部を互いに重ね合わせて支柱材の両側板間に１点止めする場合では、両ラチス材端部は、切欠されていない側のラチス材側板のみがボルトナットなどの止着具に接することになって支圧強度が低下するだけでなく、２本のラチス材間の偏心量が大きくなるのに対し、上記本発明の構成では、支柱材に端部が１点止めされる２本のラチス材の当該端部は二股状であって、その止着具貫通方向の両側板はそのまま残されているので、２本のラチス材端部の何れもが止着具に対して２面で接することになり、支圧強度に優れると共に当該２本のラチス材間の偏心量も抑えられ、全体として非常に高強度のラチス構造のフレーム組立体が得られる。
【０００６】
尚、上記本発明では、前記ラチス材(6,7)は、前記支柱材(5a,5b)の両側板部(11a,12a)間の巾の３／４程度の巾を有するものとし、前記スリット(18,19)は、ラチス材端部(6a〜7a)をその巾方向に３等分したときの中央領域に形成している。この構成によって、各ラチス材の端部形状（サイズ）を、その巾方向に対称の同一形状にして、方向性無く使用することが出来るので、全体の部品の種類を減らして組立てを容易にすることが出来、延いてはコストダウンを図ることが出来る。
【０００７】
又、本発明では、チャンネル断面のラチス材を利用しているが、そのチャンネル断面のラチス材におけるチャンネル断面のラチス材の上下両側板の一方が、前記スリットの巾と同一巾のラチス材全長に及ぶ全域スリット(16)によって分割された、リップ付きのチャンネル断面に成形し、前記スリット(18,19)は、前記全域スリット(16)が設けられていない側の側板(13)に形成しているので、前段落に記載の構成を、チャンネル断面のラチス材(6,7)を利用して実施する場合に、ラチス材(6,7)が備える前記全域スリット(16)を、ラチス材端部(6a〜7a)どうしを互いに噛み合わせて重ねる際の上下一対のスリットの１つに兼用させることが出来、２本のラチス材端部(6a〜7a)の何れもを止着具(20)に対して２面で接しさせて、必要な支圧強度を確実に確保することが出来る。
【０００８】
尚、支柱材(5a,5b)の上下両端部に配置されるラチス材(7)（通常は、水平に架設されるラチス材）は、一端部は他のラチス材(6)の端部と重ねられて共通の止着具(20)で一方の支柱材(5a又は5b)に固定されるが、他端部は他方の支柱材(5b又は5a)に対し単独で止着具(20)により止着されることになる。この場合、当該上下両端のラチス材(7)の前記他端部(7b)と前記他方の支柱材(5b又は5a)の両側板部(11a,12a)との間には、大きな空間が生じるので、本発明では、この空間を埋めるスペーサー(21)を併用している。即ち、このスペーサー(21)は、前記止着具(20)に外嵌するＵ字形のものであって、その両側板部(20b,20c)は、ラチス材(7)の周方向に沿ってＬ形に形成されたものであって、その一端には、前記止着具(20)に外嵌するＵ字形部分(21a)を備えると共に、その他端には、ラチス材(7)の前記全域スリット(16)に嵌入する突起部(22)を備えている。従って、単なる円筒状のスペーサーを前記止着具に遊嵌させる場合と比較して、止着具によりラチス材端部をスペーサーと共に支柱材の両側板間に締め付けたときの、スペーサーとラチス材側板との間の接触面及びスペーサーと支柱材の側板との間の接触面を大きくして、これらラチス材側板や支柱材側板の局部的な変形を抑制し得ると共に、スペーサーのＬ形遊端の突起部がラチス材の全域スリットに嵌入していることにより、当該スペーサーを、ラチス材端部と支柱材一側板との間の所定位置（止着具挿通位置）に、当該ラチス材端部と共に保持することが容易に行えるので、このフレーム組立体の組立て作業が容易且つ能率良く行える。具体的には、前記スペーサー(21)は、その一端の前記Ｕ字形部分(21a)から前記他端の突起部(22)の先端まで連続する両側板部(21b,21c)を備えた構造とすることが出来る。
【図面の簡単な説明】
【０００９】
【図１】図１Ａは、本発明のフレーム組立体を利用したラックの全体概略斜視図、図１Ｂは、そのフレーム組立体の一部切欠き側面図である。
【図２】図２Ａは、前記フレーム組立体に使用される中間斜めラチス材の一部省略斜視図、図２Ｂは、前記フレーム組立体に使用される上下両端水平ラチス材の一部省略斜視図である。
【図３】図３は、前記フレーム組立体の中間要部を示す一部切欠き側面図である。
【図４】図４は、図３の横断平面図である。
【図５】図５は、図３の拡大縦断側面図である。
【図６】図６は、前記フレーム組立体の上端要部を示す一部切欠き側面図である。
【図７】図７は、図６の横断平面図である。
【図８】図８は、図６の拡大縦断側面図である。
【図９】図９Ａは、図６の要部の拡大縦断側面図、図９Ｂは、使用するスペーサーの斜視図である。
【図１０】図１０Ａは、従来の２点止め形式のラチス構造のフレーム組立体における要部を示す縦断正面図、図１０Ｂは、Ａ図の縦断側面図である。
【図１１】図１１Ａは、従来の１点止め形式のラチス構造のフレーム組立体における要部を示す縦断正面図、図１１Ｂは、Ａ図の縦断側面図である。
【発明を実施するための形態】
【００１０】
図１に示されるラック１は、当該ラック１の間口方向の両端に垂直に配置されたフレーム組立体２，３と、これら両フレーム組立体２，３間に水平に且つ上下複数段に架設された荷台用フレーム構造体４によって構成されている。フレーム組立体２，３は、同一構造のものであって、前後一対の支柱材５ａ，５ｂと、これら両支柱材５ａ，５ｂ間に斜めに架設された複数本の中間斜めラチス材６、及び両支柱材５ａ，５ｂ間に水平に架設された上下両端水平ラチス材７から構成されている。荷台用フレーム構造体４は、両フレーム組立体２，３の前側支柱材５ａ間に水平に架設された前側主ビーム材８ａと、両フレーム組立体２，３の後ろ側支柱材５ｂ間に水平に架設された後ろ側主ビーム材８ｂ、及び前後両主ビーム材８ａ，８ｂ間に、間口方向適当間隔おきに架設された複数本の荷支持用副ビーム材９によって構成されている。
【００１１】
以下、同一構造のフレーム組立体２，３の構成を、図２〜図９に基づいて具体的に説明すると、前後一対の支柱材５ａ，５ｂは、外側に位置する正面板１０と、内側に位置する左右両側板１１，１２とから成る横断面コ字形のもので、左右両側板１１，１２は、正面板１０側の前側半分の領域に対して後ろ側半分の領域が、互いに接近するように内側に入り込んで互いに平行に並列するラチス材取付け用両側板部１１ａ，１２ａとなっている。
【００１２】
中間斜めラチス材６と上下両端水平ラチス材７は、輪郭がほぼ正方形の中空角柱状断面であって、天板部１３、この天板部１３の両側辺から直角下向きに連設された左右両側板部１４ａ，１４ｂ、及び左右両側板部１４ａ，１４ｂの下側辺から内側に直角に連設された左右一対の下側リップ板部１５ａ，１５ｂから成る、断面が同一構造（同一サイズ）のリップ付きチャンネル断面のものである。これら中間斜めラチス材６と上下両端水平ラチス材７は、支柱材５ａ，５ｂのラチス材取付け用両側板部１１ａ，１２ａ間の巾のほぼ３／４の巾（天板部１３の巾）を有するものであり、左右一対の下側リップ板部１５ａ，１５ｂの巾と、これら両リップ板部１５ａ，１５ｂ間に形成されている全域スリット１６（このラチス材の全長にわたって連続する全域スリット１６）の巾は、互いにほぼ等しく、これらラチス材６，７の巾（天板部１３の巾）のほぼ１／３の巾である。
【００１３】
中間斜めラチス材６と上下両端水平ラチス材７は、図２に示すように、その長さ方向の両端部６ａ，６ｂ及び７ａ，７ｂにおける左右両側板部１４ａ，１４ｂに左右横方向に同心状に貫通する取付け孔１７が設けられ、中間斜めラチス材６は、図２Ａに示すように、その長さ方向の両端部６ａ，６ｂにおける天板部１３に、全域スリット１６と同一巾のスリット１８が、天板部１３の巾を３等分した中央領域に、当該天板部１３の端辺から一定長さにわたって切欠形成されて、二股状になっている。従って、このスリット１８は、平面視において、下側の全域スリット１６と重なっている。又、上下両端水平ラチス材７は、図２Ｂに示すように、長さ方向の一端部７ａにのみ前記スリット１８と同一のスリット１９が設けられて二股状になっている。
【００１４】
図３〜図５に示すように、天板部１３を上にして支柱材５ａ，５ｂ間でジグザグ折れ線状に配置される各中間斜めラチス材６の互いに隣接する二股状端部６ａ，６ａ及び６ｂ，６ｂは、それぞれが有するスリット１８と全域スリット１６を利用して互いに噛み合わせるように嵌合させて重ね合わせる。このとき、右上がり（又は左上がり）に傾斜する全ての中間斜めラチス材６に対して、左上がり（又は右上がり）に傾斜する全ての中間斜めラチス材６が、平面視において同一側にずれるように二股状端部６ａ，６ａどうしを噛み合わせる。この二股状端部６ａ，６ａどうしの噛み合わせによって重ねられた、互いに上下逆向きに傾斜する上下２本の中間斜めラチス材６の二股状端部６ａ，６ａ及び６ｂ，６ｂは、その全体の巾（厚さ）が、支柱材５ａ，５ｂのラチス材取付け用両側板部１１ａ，１２ａ間の巾とほぼ等しくなる。
【００１５】
従って、これら噛み合わせによって重ねられた上下２本の中間斜めラチス材６の二股状端部６ａ，６ａ及び６ｂ，６ｂを、支柱材５ａ，５ｂのラチス材取付け用両側板部１１ａ，１２ａ間に挿入して、当該ラチス材取付け用両側板部１１ａ，１２ａによって挟ませることが出来る。この状態において、各二股状端部６ａ，６ｂに設けられている取付け孔１７と、支柱材５ａ，５ｂのラチス材取付け用両側板部１１ａ，１２ａに設けられている取付け孔を、同心状に位置合わせし、これら取付け孔に止着具としてのボルトナット２０のボルト２０ａを挿通し、反対側からナット２０ｂを螺嵌締結して、噛み合わせによって重ねられた上下２本の中間斜めラチス材６の二股状端部６ａ，６ａ及び６ｂ，６ｂを、支柱材５ａ，５ｂのラチス材取付け用両側板部１１ａ，１２ａ間に固定する。
【００１６】
上記のようにして支柱材５ａ，５ｂ間に架設した中間斜めラチス材６の内、上下両端に位置する中間斜めラチス材６の遊端側の二股状端部６ａ又は６ｂには、図６〜図９に示すように、上下両端水平ラチス材７の二股状端部７ａを、スリット１８，１９と全域スリット１６を利用して噛み合わせるように嵌合させて重ね合わせ、この噛み合わせ重なり部を、対応する支柱材５ａ又は５ｂのラチス材取付け用両側板部１１ａ，１２ａ間に挿入し、上記と同様に止着具としてのボルトナット２０により固定する。
【００１７】
一方、上下両端水平ラチス材７の他端部７ｂは、図７及び図９に示すように、対応する支柱材５ａ又は５ｂのラチス材取付け用両側板部１１ａ，１２ａ間に単独で挿入されて、当該ラチス材取付け用両側板部１１ａ又は１２ａにのみ隣接し、他方の側板部１２ａ又は１１ａとの間には、上下両端水平ラチス材７の巾の１／３程度の巾の空間が生じることになる。この空間を埋めるために組み込まれるスペーサー２１は、この上下両端水平ラチス材７の他端部７ｂを支柱材５ａ又は５ｂに固定するためのボルトナット２０のボルト２０ａに上から嵌合し得る倒立Ｕ字形部分２１ａと、上下両端水平ラチス材７の周方向に沿ってＬ形に形成された両側板部２１ｂ，２１ｃ、及びこれら両側板部２１ｂ，２１ｃの遊端から上向きに突設されて、上下両端水平ラチス材７の前記全域スリット１６に下から嵌入する突起部２２を備えているものである。
【００１８】
上記スペーサー２１は、その突起部２２を前記上下両端水平ラチス材７の他端部７ｂにおける全域スリット１６に下から嵌入させると共に倒立Ｕ字形部分２１ａを、当該上下両端水平ラチス材７の前記空間が形成される側に隣接させ、そして当該他端部７ｂに設けられている取付け孔１７に倒立Ｕ字形部分２１ａの上端内側孔部を合致させるように位置決めした状態で、前記上下両端水平ラチス材７の他端部７ｂと一体に把持し、この上下両端水平ラチス材７の他端部７ｂをスペーサー２１と共に、対応する支柱材５ａ又は５ｂのラチス材取付け用両側板部１１ａ，１２ａ間に挿入する。そして、ボルトナット２０のボルト２０ａを、ラチス材取付け用両側板部１１ａ，１２ａに設けられている取付け孔と、前記スペーサー２１の倒立Ｕ字形部分２１ａの上端内側孔部、及び上下両端水平ラチス材７の他端部７ｂに設けられている取付け孔１７を貫通させるようにして、上下両端水平ラチス材７の他端部７ｂをスペーサー２１と共に、対応する支柱材５ａ又は５ｂのラチス材取付け用両側板部１１ａ，１２ａ間にボルトナット２０により固定する。
【００１９】
以上のように、前後一対の支柱材５ａ，５ｂ、上下複数本の中間斜めラチス材６、上下両端水平ラチス材７、及びボルトナット２０とスペーサー２１を利用して、図１Ｂに示すフレーム組立体２，３を組み立てることが出来、これら左右一対のフレーム組立体２，３と、所要段数の荷台用フレーム構造体４とを組み合わせて、図１Ａに示すようなラック１を組み立てることが出来る。
【００２０】
尚、上記実施例では、中間斜めラチス材６及び上下両端水平ラチス材７として、全域スリット１６を最初から備えたチャンネル断面の中空部材から構成したが、パイプ断面の中空部材、即ち、角パイプから構成することも出来る。この場合は、各ラチス材６，７の端部には、上下両側板部にそれぞれスリット１８，１９が形成されることになる。
【産業上の利用可能性】
【００２１】
本発明のラチス構造のフレーム組立体は、ラックの荷台用フレーム構造体の両端を支持する側枠用フレーム構造体として活用出来る。
【符号の説明】
【００２２】
１    ラック
２，３    フレーム組立体
４    荷台用フレーム構造体
５ａ，５ｂ    支柱材
６    中間斜めラチス材
７    上下両端水平ラチス材
１１ａ，１２ａ    支柱材のラチス材取付け用両側板部
１３    ラチス材の天板部
１４ａ，１４ｂ    ラチス材の左右両側板部
１５    ラチス材の左右一対の下側リップ板部
１６    ラチス材の全域スリット
１７    ラチス材の取付け孔
１８，１９    ラチス材のスリット
２０    ボルトナット（止着具）
２１    スペーサー
２１ａ    スペーサーの倒立Ｕ字形部分
２１ｂ，２１ｃ    スペーサーの両側板部
２２    スペーサーの突起部
３０    支柱材
３０ａ，３０ｂ    支柱材の両側板
３１，３２，３５，３６    ラチス材
３１ａ，３２ａ，３５ａ，３６ａ    ラチス材端部
３３，３４，３７    止着具
３８    潰れ防止部材
【図１】
0006268603.tif 000002
【図２】
0006268603.tif 000003
【図３】
0006268603.tif 000004
【図４】
0006268603.tif 000005
【図５】
0006268603.tif 000006
【図６】
0006268603.tif 000007
【図７】
0006268603.tif 000008
【図８】
0006268603.tif 000009
【図９】
0006268603.tif 000010
【図１０】
0006268603.tif 000011
【図１１】
0006268603.tif 000012